(57)【特許請求の範囲】
【請求項１】
被包装物を充填した筒状フィルムの両端部を合成樹脂線材により封止してなる筒状包装体の包装方法であって、
帯状の合成樹脂フィルムを連続して繰り出しながら、該フィルムの側端部同士を重ねて融着して筒状フィルムを連続的に形成し、該筒状フィルム内に被包装物を連続的に充填して筒状体を形成し、該筒状体を所定の間隔で連続的に外部より絞って内部の被包装物を押しのけ、被包装物が押しのけられた領域のフィルムを集束し、集束したフィルムを、平行に配置した２本の直線状の合成樹脂線材間の中央部に挟み込み、該線材の両端部同士を超音波融着させて封止し、該線材が包装体の両端部に位置するようにフィルムを切断することを特徴とする筒状包装体の包装方法。
【請求項２】
上記フィルムの切断が溶断である請求項１に記載の筒状包装体の包装方法。
【請求項３】
集束したフィルムを超音波融着させて封止すると同時に、集束したフィルムに超音波を印加して溶断すると同時に溶断部のフィルムを超音波融着により一体化する請求項１に記載の筒状包装体の包装方法。
【請求項４】
長尺の合成樹脂フィルムの側端部同士を重ねて融着した筒状フィルム内に被包装物が充填され、該フィルムの両端部に封止部を有し、該封止部において、集束したフィルムを、平行に配置した２本の直線状の合成樹脂線材が挟持し、該線材の両端部同士が超音波融着していることを特徴とする筒状包装体。
【請求項５】
末端部のフィルムが集束状態で互いに超音波融着している請求項４に記載の筒状包装体。
【請求項６】
被包装物を充填した筒状フィルムの両端部を合成樹脂線材により封止してなる筒状包装体の包装装置であって、
帯状の合成樹脂フィルムを連続して繰り出す手段と、
該フィルムの側端部同士を重ねて融着して筒状フィルムを連続的に形成する手段と、
該筒状フィルム内に被包装物を連続的に充填して筒状体を形成する手段と、
該筒状体を所定の間隔で連続的に外部より絞って内部の被包装物を押しのける手段と、
被包装物が押しのけられた領域のフィルムを集束する手段と、
直線状の２本の合成樹脂線材を、集束したフィルムを中央部に挟み込むように平行に供給する手段と、該線材の両端部同士を接触させて超音波融着させる手段とを有する超音波印加手段と、
該合成樹脂線材が包装体の両端部に位置するようにフィルムを切断する手段と、
を少なくとも備えたことを特徴とする筒状包装体の包装装置。
【請求項７】
上記超音波印加手段が、リール状に巻回されて供給された合成樹脂線材を連続的に繰り出しながら所定の長さに切断する手段を有する請求項６に記載の筒状包装体の包装装置。
【請求項８】
上記フィルムを切断する手段が、フィルムに超音波を印加して溶断する手段である請求項６に記載の筒状包装体の包装装置。
【請求項９】
上記超音波印加手段が、超音波装置に付設されたホーンと該ホーンに対向するアンビルとを有し、ホーン或いはアンビルのいずれか一方の対向面にフィルムの進行方向に直交する直線状の突起を有し、該突起を他方の対向面に接触させてフィルムを溶断すると同時に溶断部のフィルムを超音波融着により一体化する請求項６に記載の筒状包装体の包装装置。
【発明の詳細な説明】
【技術分野】
【０００１】  本発明は、液状或いは練り状食品、特に、ソーセージ等の包装後に加熱処理を施す食品の包装に適した筒状包装体、及び、その包装方法と、該方法に用いる包装装置に関する。
【背景技術】
【０００２】  漬け物やチーズ、ソーセージといった液状或いは練り状食品など、流動性を有する物品の包装形態として、長尺の合成樹脂フィルムの側端部同士を重ねて融着した筒状フィルム内に上記物品或いはその原料を充填し、該フィルムの両端部を封止してなる筒状包装体が広く用いられている。図６に筒状包装体の模式図を示す。図中、６１は合成樹脂フィルム、６２はフィルム側端部を融着してなる融着部、６３は封止材である。【０００３】  この様な筒状包装体の包装作業は、通常、筒状フィルムの形成から封止まで連続工程で行われる。具体的には、帯状の合成樹脂フィルムを繰り出しながら側端部同士を融着させて筒状フィルムを形成し、該筒状フィルム内に被包装物を連続的に充填して筒状体を形成し、所定の間隔で外部より該筒状体を絞って内部の被包装物を押しのけ、押しのけた部分で筒状体を封止材により封止し、フィルムを切断する。【０００４】  従来、筒状包装体の封止材としては、結紮工程において、カシメ易く、塑性変形して戻らないことから、気密性保持の目的でアルミニウム線材が用いられていた。【０００５】  しかしながら、金属線材を用いた場合、包装後に金属製夾雑物が混入しているかどうかを金属探知器により検知することができない。また、包装体の密封性を保つため、アルミニウム線材はフィルムに強固に取り付けられるため、包装体を開封後にフィルムからアルミニウム線材を取り外すことが容易ではなく、フィルムやアルミニウム線材をリサイクルする上で好ましくない。さらに、結紮工程では、潤滑と冷却のために、アルミニウム線材には薄く油が塗布されており、該油の付着が食品衛生上好ましくなく、洗浄工程も必要となっている。さらに、従来のアルミニウム線材を用いた場合の、気密度（エア耐圧）の基準は０．１５ＭＰａであり、この基準を維持・管理するのは容易ではなかった。【０００６】  上記のような理由から、アルミニウム線材に代わる封止材が求められていた。【０００７】  特許文献１には、樹脂フィルムからなる包装材を結束するためのＣの字形状に成形した樹脂製止め具が、特許文献２、３には合成樹脂製の馬蹄形クリップがそれぞれ開示されている。【０００８】  しかしながら、上記特許文献に記載された封止材は、いずれも予め所定の形状に成形した合成樹脂製の成形品を別材で連鎖状につなぎ止めてリール状で供給されるため、包装装置に一度に供給しうる封止材の個数が数千個程度でリールの交換作業が繁雑であり、１個当たりの単価も高いものであった。また、形状が複雑なため、開口部が一箇所である場合には良いが、開口部が二箇所である筒状包装体の封止材としては使用が困難であった。【０００９】
【特許文献１】特開平１０−１３９０１６号公報
【特許文献２】特開２００２−１９７３５号公報
【特許文献３】特開２００３−５６５１９号公報
【発明の開示】
【発明が解決しようとする課題】
【００１０】  本発明の課題は、包装後の金属探知器による金属製夾雑物の検知が可能で、食品衛生上も問題がなく、リサイクルが容易で密封性の高い合成樹脂製の封止材を用いた筒状包装体、包装方法、包装装置を提供することにあり、特に、封止材の単価を低減し、包装装置への供給を容易にして、筒状包装体の包装にかかるコスト削減を図ることにある。
【課題を解決するための手段】
【００１１】
本発明の第一は、被包装物を充填した筒状フィルムの両端部を合成樹脂線材により封止してなる筒状包装体の包装方法であって、
帯状の合成樹脂フィルムを連続して繰り出しながら、該フィルムの側端部同士を重ねて融着して筒状フィルムを連続的に形成し、該筒状フィルム内に被包装物を連続的に充填して筒状体を形成し、該筒状体を所定の間隔で連続的に外部より絞って内部の被包装物を押しのけ、被包装物が押しのけられた領域のフィルムを集束し、集束したフィルムを、平行に配置した２本の直線状の合成樹脂線材間の中央部に挟み込み、該線材の両端部同士を超音波融着させて封止し、該線材が包装体の両端部に位置するようにフィルムを切断することを特徴とする筒状包装体の包装方法である。
【００１２】
本発明の第二は、長尺の合成樹脂フィルムの側端部同士を重ねて融着した筒状フィルム内に被包装物が充填され、該フィルムの両端部に封止部を有し、該封止部において、集束したフィルムを、平行に配置した２本の直線状の合成樹脂線材が挟持し、該線材の両端部同士が超音波融着していることを特徴とする筒状包装体である。
【００１３】
本発明の第三は、被包装物を充填した筒状フィルムの両端部を合成樹脂線材により封止してなる筒状包装体の包装装置であって、
帯状の合成樹脂フィルムを連続して繰り出す手段と、
該フィルムの側端部同士を重ねて融着して筒状フィルムを連続的に形成する手段と、
該筒状フィルム内に被包装物を連続的に充填して筒状体を形成する手段と、
該筒状体を所定の間隔で連続的に外部より絞って内部の被包装物を押しのける手段と、
被包装物が押しのけられた領域のフィルムを集束する手段と、
直線状の２本の合成樹脂線材を、集束したフィルムを中央部に挟み込むように平行に供給する手段と、該線材の両端部同士を接触させて超音波融着させる手段とを有する超音波印加手段と、
該合成樹脂線材が包装体の両端部に位置するようにフィルムを切断する手段と、
を少なくとも備えたことを特徴とする筒状包装体の包装装置である。
【発明の効果】
【００１４】  本発明においては、下記の効果が得られる。【００１５】  封止材として合成樹脂線材を用いるため、封止工程が簡易で、筒状包装体の両端部の封止に好ましく用いられ、また、射出成形品に比較して単価が大幅に低減される。また、金属が用いられないため、包装後の金属探知器による金属製夾雑物の検知が可能であり、食品衛生上も好ましい。特に、合成樹脂線材と合成樹脂フィルムとに同じ素材を用いた場合には、包装後にフィルムから該線材を外さずにそのままリサイクルに供することができる。【００１６】  封止材が線材であるため、一度に多数個分を供給することができ、線材の供給のために頻繁に包装装置を停止する必要が無く、包装効率が高い。【００１７】  本発明においては、合成樹脂線材の端部同士が融着により強固に一体化しているため、ソーセージのように、包装後に加熱処理により内圧が高くなるような場合にも十分に密封性を維持することができる。特に、封止に超音波融着を用いた場合には、短時間で局所的に融着させることができ、包装効率が高い。【００１８】  また、本発明において、合成樹脂フィルムの切断手段として超音波印加による溶断を用いた場合、溶断部であるフィルム末端部が集束状態で互いに融着し、包装体を密封するため、合成樹脂線材による封止と相俟って高い密封性が得られる。【００１９】  さらに、合成樹脂線材の融着とフィルムの溶断を超音波印加によって行うことにより、両方の操作を備えた超音波印加手段を用いることで、両作業を同時に且つ簡易に実施することができる。
【図面の簡単な説明】
【００２０】
【図１】本発明の包装装置の一例の概略図である。
【図２】図１の包装装置の封止手段の拡大斜視図である。
【図３】図１の包装装置の集束手段によりフィルムを集束した状態を示す平面図である。
【図４】図１の超音波印加手段による溶断・融着・封止工程を示す図である。
【図５】１本の合成樹脂線材で封止する工程を示す図である。
【図６】本発明の筒状包装体の模式図である。
【符号の説明】
【００２１】  １  フィードポンプ
２  充填ノズル
３  製筒装置
４  ロール
５  合成樹脂フィルム
６  電極
７  被包装物
８  移送ローラー
９  絞りローラー
１０  封止手段
１１ａ、１１ｂ、１２ａ、１２ｂ  集束板
１３  ホーン
１５  アンビル
１４、１４ａ、１４ｂ、１６ａ、１６ｂ  合成樹脂線材
１７  溶断用突起
１８  超音波装置
３１  集束フィルム
５１  成形型
６１  合成樹脂フィルム
６２  融着部
６３  封止材
【発明を実施するための最良の形態】
【００２２】  以下に本発明の筒状包装体、包装方法、包装装置について図面を用いて詳細に説明する。【００２３】  本発明の筒状包装体は、先に図６に示した形態と基本的には同じである。即ち、長尺の合成樹脂フィルム６１の側端部同士を重ねて融着した筒状フィルム内に被包装物を充填し、該フィルムの両端部を封止材６３により封止した形態であり、本発明は、封止材６３として合成樹脂線材を用い、該線材の端部同士を融着させて封止したことに特徴を有する。【００２４】  図１に、本発明の包装方法を実施する包装装置の好ましい形態の一例の概略図を示す。本実施形態は、合成樹脂線材の融着手段として超音波融着を、フィルムの切断手段として超音波印加による溶断を用い、さらに、合成樹脂線材を融着するための超音波印加と、フィルムを溶断するための超音波印加を一組のホーンとアンビルにより実施する形態である。【００２５】  図１中、１はフィードポンプ、２は充填ノズル、３は製筒装置、４はロール、５は合成樹脂フィルム、６は電極、７は被包装物、８は移送ローラー、９は絞りローラー、１０は封止手段、１１ａ、１１ｂ、１２ａ、１２ｂは集束板、１３はホーン、１５はアンビル、１４ａ、１４ｂ、１６ａ、１６ｂは合成樹脂線材、１７は溶断用突起、１８は超音波装置である。【００２６】  図１の装置において、充填ノズル２はフィードポンプ１に連結されており、充填ノズル２の中間部に製筒装置３が設けられ、ロール４から繰り出された帯状の合成樹脂フィルム５はこの製筒装置３を通過するときに筒状に丸められる。そして、筒状に丸められて重ねられたフィルム５の側端部同士を電極６により融着し、筒状フィルムを形成する。一方、充填ノズル２から該筒状フィルムに被包装物７を充填し、筒状体を形成する。筒状体は移送ローラー８によって挟持されて紙面下方に移送され、次いで、絞りローラー９が筒状体を所定の間隔で外部より絞って内部の被包装物７を押しのけ、押しのけられた領域のフィルムを、封止手段１０において集束し、超音波を印加して溶断すると同時に溶断部を融着一体化し、さらに、溶断部の前後において、集束したフィルムを合成樹脂線材によって封止し、合成樹脂線材により両端を封止した包装体が得られる。上記一連の工程は全て連続的に行われる。【００２７】  図２に、図１の封止手段１０の拡大斜視図を示す。尚、図２において、ホーン１３が付設されている超音波装置１８を便宜上省略する。【００２８】  図２において、集束板１１ａ、１１ｂ、１２ａ、１２ｂは、被包装物７を押しのけた領域のフィルムを集束する手段であって、本例では図２に示すように、入口が最も広く、奥になるほど狭い開口部を有し、１１ａと１１ｂ、１２ａと１２ｂとがそれぞれ開口部を対向させて、上下方向でずれて平行に配置している。従って、フィルムを両側から挟むように互いにフィルムに向かって前進させることにより、図３に示すように、フィルムを絞った状態（図中の３１で示す）に集束させることができる。尚、集束手段は、図２に示す形態に限定されるものではなく、同様の作用を有するものであれば、どのような手段であってもかまわない。【００２９】  このように、集束したフィルム３１に超音波を印加し、溶断すると同時に溶断��のフィルムを融着一体化し、同時に、該溶断部の前後においてフィルム３１を２本一組の直線状の合成樹脂線材１４ａと１４ｂ、及び、１６ａと１６ｂで挟み込んで封止する。【００３０】  図１に示すように、本例の装置は、超音波印加手段として、ホーン１３が付設された超音波装置１８と、該ホーン１３に対向するアンビル１５を備えている。また、アンビル１５のホーン１３との対向面には、フィルム３１の進行方向中央部において、フィルム３１の進行方向に直交する直線状の溶断用突起１７を備えている。また、アンビル１５内には、突起１７による溶断時の衝撃を吸収するための吸収装置と溶断力を調整するための調節装置が設けられている（いずれも不図示）。溶断時には、ホーン１３とアンビル１５間に超音波を印加しつつ、突起１７をホーン１３の対向面に接触させることにより、フィルム３１を溶断し、同時に、溶断部のフィルムを融着一体化する。【００３１】  上記突起１７及び吸収装置、調節装置はホーン１３側に設けてもかまわない。また、突起１７の形状は、特に限定されないが、図１、図２に示すように断面が円形のものが好ましく用いられ、その直径は１．０〜４ｍｍ程度が好ましい。【００３２】  また、上記溶断・融着と同時に、突起１７の前後において、ホーン１３により線材１４ａと１６ａを、アンビル１５により線材１４ｂと１６ｂとを供給し、線材１４ａと１４ｂ、１６ａと１６ｂとでそれぞれフィルム３１を挟み込み、封止する。図２に示すように、本例では、線材１４ａ、１４ｂ、１６ａ、１６ｂを保持しやすいように、ホーン１３及びアンビル１５は、線材１４ａ、１４ｂ、１６ａ、１６ｂに接触する面が上下方向で湾曲している。また、線材両端部において十分に圧力がかかるように、線材１４ａ、１４ｂ、１６ａ、１６ｂに平行な方向の中央部が外側に湾曲している。【００３３】  図４にホーン１３とアンビル１５による溶断・融着・封止工程を示す。尚、図４中、（ａ）、（ｂ−１）、（ｃ）は各工程の平面模式図であり、（ｂ−２）は（ｂ−１）中のＡ−Ａ’断面図である。【００３４】  図４に示すように、所定の長さの直線状の合成樹脂線材１４ａ、１４ｂ、１６ａ、１６ｂを平行に、且つ集束したフィルム３１を中央部に挟み込むように供給し（図４（ａ））、ホーン１３、アンビル１５にて線材１４ａ、１４ｂ、１６ａ、１６ｂに超音波を印加し（図４（ｂ−１），（ｂ−２））、互いに融着させて一体化する（図４（ｃ））。また、図４（ｂ−１）、（ｂ−２）に示すように、合成樹脂線材１４ａ、１４ｂ、１６ａ、１６ｂの融着と同時に、ホーン１３の対向面とアンビル１５の対向面に付設された突起１７の先端部とが接触し、超音波印加によってフィルム３１を溶断すると同時に、溶断部のフィルム３１を集束状態で互いに融着一体化する。【００３５】  本発明において、線材１４ａ、１４ｂ、１６ａ、１６ｂに超音波を印加する領域は、少なくとも両端部であればよいが、好ましくは線材１４ａ、１４ｂ、１６ａ、１６ｂ全体に印加して、線材１４ａ、１４ｂ、１６ａ、１６ｂの両端部同士のみならず、集束状態のフィルム３１同士を融着させる。即ち、図２に示したホーン１３とアンビル１５の対向面全体において超音波を印加することにより��溶断部から線材１４ａ、１４ｂ、１６ａ、１６ｂによる封止箇所までのフィルム３１全体、及び、互いに接触する線材１４ａと１４ｂ、１６ａと１６ｂの両端部同士がそれぞれ超音波融着し、非常に密封性の高い端部が得られる。【００３６】  図２の封止手段１０においては、合成樹脂線材による封止とフィルムの溶断・融着とを一つの超音波印加手段により行う形態を示したが、ホーン１３とアンビル１５とは、所望の密封性が得られる範囲で、図４に示す形状に限定されず、本発明においては、封止と溶断・融着とを別個に設けた超音波印加手段により行ってもかまわない。また、線材１４ａと１４ｂ、１６ａと１６ｂの両端部に対応してそれぞれ一対ずつ設ける形態でもかまわない。【００３７】  ２本一組の直線状の合成樹脂線材１４ａと１４ｂ、及び、１６ａと１６ｂは所定の長さに切断したものを封止手段１０に供給しても良いが、必要な切断手段を封止手段１０に持たせて、全ての工程を本発明の包装装置において行うことが望ましい。具体的には、合成樹脂線材を線状に成形した後にリール状に巻回した状態で本発明の包装装置の封止手段に供給し、該リールより引き出した合成樹脂線材を所定の長さに切断して、集束したフィルムを中央部に挟み込むように２本一組の合成樹脂線材を平行に供給する。【００３８】  図４の形態では、本来直線状の合成樹脂線材１４ａ、１４ｂ、１６ａ、１６ｂが、フィルム３１を挟み込んで封止しているため湾曲しており、各線材１４ａ、１４ｂ、１６ａ、１６ｂが直線状に戻ろうとする復元力が、線材１４ａ、１４ｂの中央部でフィルム３１を両側から押圧する方向に、即ち密封性を高める方向に働くため、好ましい。【００３９】  また、被包装物が食品で、加熱処理が施される場合、合成樹脂線材１４ａ、１４ｂ、１６ａ、１６ｂが、製造時に引っ張り延伸されていると、上記加熱処理時に熱収縮してフィルム３１を締め付ける方向、即ち密封性を高める方向に働くため、より好ましい。【００４０】  図４においては、２本一組の合成樹脂線材を用いて封止する形態を示したが、本発明においては、１本の合成樹脂線材を用いて封止することも可能である。当該形態による封止工程を図５に示す。【００４１】  図５に示すように、所定の長さに切断した合成樹脂線材１４を加熱して軟化させ、成形型５１を用いてＵ字型に成形する（図５（ａ）、（ｂ））。次いで、集束したフィルム３１を、Ｕ字型の線材１４のＵ字内に挟み込み、ホーン１３、アンビル１５にて超音波を印加し、軟化させて端部同士を接触させて融着する（図５（ｃ）、（ｄ））。【００４２】  この場合、Ｕ字型の合成樹脂線材１４は所定の長さに切断し、Ｕ字型に成形したものを封止手段１０に供給しても良いが、必要な切断手段や成形手段を封止手段１０に持たせて、全ての工程を本発明の包装装置において行うことが望ましい。具体的には、合成樹脂線材を線状に成形した後にリール状に巻回した状態で本発明の包装装置の封止手段に供給し、リールより引き出した合成樹脂線材を所定の長さに切断した後、加熱して軟化させ、Ｕ字型に成形した後、集束したフィルムをＵ字内に挟み込むように供給する。【００４３】  上記実施形態においては、合成樹脂線材を超音波融着させて封止する形���を示したが、本発明においては、例えば加熱融着、高周波融着といった超音波融着以外の融着手段を用いることも可能である。【００４４】  さらに、上記実施形態においては、フィルムの切断手段として超音波印加による溶断を用いたが、本発明においては、例えば加熱溶断や、切断刃を用いた物理的な切断手段も用いることができる。【００４５】  本発明において用いられる合成樹脂線材は、融着による封止が可能な素材であれば用いることができるが、好ましくは、超音波適性の高い熱可塑性樹脂と、それよりも軟化温度の低い熱可塑性樹脂との混合物或いは共重合物が挙げられる。具体的には、ナイロン、ポリエチレン（ＰＥ）、特に高密度ポリエチレン（ＨＤＰＥ）、塩化ビニリデン（ＶＤＣ）と塩化ビニル（ＶＣ）との共重合体（ＶＤＣ・ＶＣ共重合体）やＶＤＣとメチルアクリレート（ＭＡ）との共重合体（ＶＤＣ・ＭＡ共重合体）、ブタジエンを加えたハイインパクトポリスチレン（ＨＩＰＳ）が挙げられ、ＶＤＣ・ＶＣ共重合体における好ましい質量組成比は、ＶＤＣ／ＶＣ＝７０／３０〜９８／２であり、ＶＤＣ・ＭＡ共重合体における好ましい質量組成比は、８５／１５〜９８／２である。【００４６】  上記超音波適性としては、結晶性よりも非晶性である（溶けやすい）、純度が高い、ヤング率が高い、軟化温度が低い、といった要因が挙げられる。ポリ塩化ビニリデン（ＰＶＤＣ）はヤング率が高いなど超音波適性に優れているものの、結晶性であるため、やや溶けにくい。一方、ポリ塩化ビニル（ＰＶＣ）は、非晶性で溶けやすく、軟化温度も低い。そのため、ＶＤＣ・ＶＣ共重合体では、ＶＤＣが発熱してＶＣが溶けるという望ましい状態が形成されることになる。また、ＨＩＰＳについては、ポリスチレン（ＰＳ）単独でも上記超音波適性に優れているが、軟化温度の低いブタジエンを加えることでさらに融着効果が高まる。【００４７】  本発明において用いられる合成樹脂フィルムは、融着が可能で、包装後に良好な密封性を有するものであれば特に素材は限定されないが、具体的には、上記した合成樹脂線材に用いられるものと同様のＶＤＣ・ＶＣ共重合体やＶＤＣ・ＭＡ共重合体やＨＩＰＳ、また、ＰＶＤＣ、ＰＶＣ、ナイロン（Ｎｙ）、ポリエチレン（ＰＥ）、ポリプロピレン（ＰＰ）等が用いられ、単層フィルムでも、複層フィルムであっても良い。【００４８】  本発明においては、リサイクルの観点から、また、超音波融着の場合には超音波適性の観点から、合成樹脂フィルムと合成樹脂線材は同じ素材を用いることが望ましい。また、被包装物が食品の場合には、包装後に加熱処理を施すものが多いため、加熱に耐える素材を選択することが望ましい。【００４９】  本発明において、合成樹脂線材の断面形状は特に限定されるものではないが、常に同じ封止強度を得る上では円形が好ましい。また、通常の食品の包装体において、直径は１〜５ｍｍ程度が好ましく、長さについては６〜２４ｍｍ程度が好ましい。また、溶断・封止に用いられる超音波の周波数は、１５〜４０ｋＨｚ程度であり、印加時間や振幅、印加時に線材同士を接触させる圧力等については、用いる線材の素材や直径、必要とされる封止強度に応じて適宜選択すればよい。
【実施例】
【００５０】  合成樹脂フィルムとして、旭化成社製「サランフィルム」（ＶＤＣ／ＶＣ＝９０／１０（質量組成比）の共重合体；厚さ４０μｍ）を幅９２ｍｍの帯状に切り出し、側端部を重ねて該側端部の末端よりそれぞれ５ｍｍ内側を融着して筒状フィルムとした。該筒状フィルムを集束し、周波数４０ｋＨｚ、最大振幅４０μｍの超音波装置を用い、以下に示す合成樹脂線材について、直径２ｍｍと４ｍｍ、長さ１０ｍｍで２本を用意し、図２の封止手段を用いて、それぞれ溶断・融着・封止した。溶断用突起は、断面が直径が１ｍｍの円形とした。また、封止時の超音波の振幅を１６〜２０μｍ、ホーンとアンビル間の加圧力を４〜８ＭＰａ、加圧時間を０．３５〜０．５５秒間と変化させた。
線材Ａ：ＶＤＣ／ＶＣ＝９０／１０（質量組成比）の共重合体
線材Ｂ：ＶＤＣ／ＶＣ＝８２／１８（質量組成比）の共重合体
線材Ｃ：ＰＳ
線材Ｄ：ＨＩＰＳ（ブタジエン６質量％）【００５１】  線材で封止したフィルムの一方の内側よりエアーを吹き込み、耐圧を測定した。その結果、いずれの線材を用いた場合も、末端部から線材で封止した箇所に至る範囲で、線材同士、及び、集束状態でフィルム同士がそれぞれ融着しており、気密度（エア耐圧）が０．３ＭＰａ以上と従来のアルミニウム線材を用いた場合に比べて大幅に良好な密封性を示した。中でも線材Ａ、Ｂが全般的に高い耐圧を示し、特に線材Ｂが良好な結果を示した。さらに、線材Ａ、Ｂは線材Ｃ、Ｄに比較して耐熱性も高く、包装後に加熱処理を施す食品の包装に適していることがわかった。
【図１】
0005000891.tif 000002
【図２】
0005000891.tif 000003
【図３】
0005000891.tif 000004
【図４】
0005000891.tif 000005
【図５】
0005000891.tif 000006
【図６】
0005000891.tif 000007